(57)【要約】      （修正有）【課題】後付けで、太陽光発電装置の発電量を増加させるとともに、太陽光発電パネルにより反射された光に起因する光害が発生しにくくすることができる太陽光発電パネル用遮光壁を提供する。【解決手段】太陽光発電パネル用遮光壁１は、太陽光発電パネル２による反射光を遮蔽する壁構造体であり、反射光を受ける側の面に、コーナーキューブ形状面１ａを形成し、反射光を太陽光発電パネル２の表面と平行な面に対して入射光路側に反射する。【選択図】図１
2017188984.tif 000002
【特許請求の範囲】
【請求項１】
太陽光発電パネルによる反射光を遮蔽する壁構造体であり、前記反射光を受ける側の面に、該反射光を前記太陽光発電パネルの表面と平行な面に対して入射光路側に反射する反射面が形成されていることを特徴とする太陽光発電パネル用遮光壁。
【請求項２】
前記反射面がコーナーキューブ形状面である請求項１に記載の太陽光発電パネル用遮光壁。
【請求項３】
ステンレス製又はアルミニウム製の鏡面加工された金属板を有し、前記金属板に前記コーナーキューブ形状面が形成されている請求項２に記載の太陽光発電パネル用遮光壁。
【請求項４】
前記コーナーキューブ形状の凹部に貫通孔が設けられている請求項２又は３に記載の太陽光発電パネル用遮光壁。
【請求項５】
太陽光発電パネルと、請求項１〜４のいずれか１項に記載の太陽光発電パネル用遮光壁とを有する太陽光発電装置。
【発明の詳細な説明】
【技術分野】
【０００１】
本発明は、太陽光発電パネル用遮光壁、及び太陽光発電パネルと該太陽光発電パネル用遮光壁とを備えた太陽光発電装置に関する。
【背景技術】
【０００２】
現在の太陽光発電パネルは、年間で最も発電の効率の良い方向と角度で固定される。そのため、太陽光の照射方向の変化により、パネル表面の保護用の強化ガラスにより様々な方向に太陽光が反射される。太陽光がパネルの周囲に反射されることにより、光害が発生することがある。
【０００３】
光害を防止するために、太陽に向かって常に直角のパネル面を維持することにより反射光を周囲に照射しないことも技術的には可能であるが、角度の維持には複雑な機構、制御、及び動力（電力等）が必要となる。そのため、通常は、反射光が問題となる範囲を遮蔽する壁（遮光壁）を設置することで対応しているが、遮光壁の設置は発電自体には一切寄与しないためコスト要因でしかない。
【０００４】
設置した場所の周囲の建物等に光被害を与えるのを防止した太陽電池モジュールとして、集光板と、太陽電池素子と、集光板を透過した光を集光板の主面の法線に対して太陽光の入射光路側の所定方向に反射する反射体と、を備える太陽電池モジュールが知られている（特許文献１参照）。
【先行技術文献】
【特許文献】
【０００５】
【特許文献１】特開２０１５−３８９０５号公報
【発明の概要】
【発明が解決しようとする課題】
【０００６】
しかしながら、光害を防止するために、特許文献１の太陽電池モジュールのような集光板の背面に反射体を設ける態様を、既に設置されている太陽光発電パネルにおいて適用すること、即ち「後付け」で光害の対処をすることは困難であった。
【０００７】
従って、本発明の目的は、後付けで、太陽光発電装置の発電量を増加させるとともに、太陽光発電パネルにより反射された光に起因する光害が発生しにくくすることができる太陽光発電パネル用の遮光壁を提供することにある。
また、本発明の他の目的は、さらに、コストを抑えた太陽光発電パネル用の遮光壁を提供することにある。
さらに、本発明の他の目的は、発電量が多く、太陽光発電パネルにより反射された光に起因する光害が発生しにくい太陽光発電装置を提供することにある。
【課題を解決するための手段】
【０００８】
本発明者は、上記目的を達成するため鋭意検討した結果、太陽光発電パネル用の遮光壁として、太陽光発電パネル表面で反射される太陽光をさらに反射して再度太陽光発電パネルに入射させることができる遮光壁を用いることにより、後付けで、太陽光発電装置の発電量を増加させるとともに、太陽光発電パネルにより反射された光に起因する光害が発生しにくくすることができることを見出した。本発明は、これらの知見に基づいて完成させたものである。
【０００９】
すなわち、本発明は、太陽光発電パネルによる反射光を遮蔽する壁構造体であり、前記反射光を受ける側の面に、該反射光を前記太陽光発電パネルの表面と平行な面に対して入射光路側に反射する反射面が形成されていることを特徴とする太陽光発電パネル用遮光壁を提供する。
【００１０】
前記反射面は、コーナーキューブ形状面であることが好ましい。
【００１１】
前記太陽光発電パネル用遮光壁は、ステンレス製又はアルミニウム製の鏡面加工された金属板を有し、前記金属板に前記コーナーキューブ形状面が形成されている遮光壁であることが好ましい。
【００１２】
前記太陽光発電パネル用遮光壁は、前記コーナーキューブ形状の凹部に貫通孔が設けられていることが好ましい。
【００１３】
また、本発明は、太陽光発電パネルと、前記太陽光発電パネル用遮光壁とを有する太陽光発電装置を提供する。
【発明の効果】
【００１４】
本発明の太陽光発電パネル用遮光壁によれば、後付けで、太陽光発電装置の発電量を増加させるとともに、太陽光発電パネルにより反射された光に起因する光害が発生しにくくすることができる。
【図面の簡単な説明】
【００１５】
【図１】屋外に設置された本発明の遮光壁の実施形態を示す概略図である。
【図２】本発明の遮光壁を用いた場合の太陽光の光路の一例を示す概略図である。
【図３】コーナーキューブ形状面の概略図であり、（ａ）はコーナーキューブ形状面の平面図、（ｂ）はコーナーキューブ形状面の斜視図である。
【図４】マイクロビーズ構造の一例を示す概略図（断面図）である。
【図５】表面にプリズム形状が形成されたオフアクシス反射板の一例を示す概略図（断面図）である。
【図６】本発明の遮光壁を用いた場合の太陽光の光路の他の一例を示す概略図である。
【図７】誘電体多層膜からなるオフアクシス反射板の一例を示す概略図（断面図）である。
【図８】透明基材中に反射性の板状粒子の反射面が太陽光発電パネルに向かうように配置されたオフアクシス反射板の一例を示す概略図（断面図）である。
【発明を実施するための形態】
【００１６】
［本発明の太陽光発電パネル用遮光壁］
本発明の太陽光発電パネル用遮光壁（以下、単に「本発明の遮光壁」と称する場合がある）は、太陽光発電パネルによる反射光を遮断する壁構造体である。即ち、太陽光発電パネルに照射された太陽光は太陽光発電パネルにより反射されるが、本発明の遮光壁は、当該反射された光（反射光）を周囲に散乱しないように遮断するための壁構造体である。そして、本発明の遮光壁は、上記反射光を、前記太陽光発電パネルの表面と平行な面に対して、上記反射光の遮光壁への入射光路側（即ち、太陽光発電パネル側）に反射する反射面が形成されていることを特徴とする。
【００１７】
本発明の遮光壁について、図面を用いて具体的に説明する。ただし、本発明は、以下に示す態様に何ら制限されるものではない。
【００１８】
図１は、屋外に設置された本発明の遮光壁の実施形態を示す概略図である。図１において、本発明の遮光壁（遮光壁）１は、矩形状の太陽光発電パネル２の二辺に設置されており、遮光壁１の太陽光発電パネル２側の面は再帰性反射面であるコーナーキューブ形状面１ａとなっている。
【００１９】
図２は、本発明の遮光壁を用いた場合の太陽光の光路を示す概略図の一例である。図２では、太陽光発電パネル２は水平に設置されており、遮光壁１は太陽光発電パネル２表面に対して直角となるように設置されている。照射された太陽光Ｌは、太陽光発電パネル２の表面で反射されて遮光壁１に入射し、遮光壁１におけるコーナーキューブ形状面１ａにより入射した方向（入射光路側）へ帰るように（即ち、再帰するように）反射され、再度太陽光発電パネル２に入射する。従って、太陽光発電パネル２の表面で反射された太陽光Ｌは、遮光壁１に入射し、そして、太陽光発電パネル２の表面と平行な面Ｆに対して入射光路側、即ち面Ｆよりも下側に反射される。これにより、本発明の遮光壁を用いた場合、本発明の遮光壁を用いない場合に対して２倍の光変換効率となり得る。例えば、本発明の遮光壁を用いない場合の光変換効率が２０％程度であるとすると、本発明の遮光壁を用いた場合の光変換効率は４０％程度にもなり得る。
【００２０】
上記コーナーキューブ形状面１ａは、３つの三角形平面を互いに直角に組み合わせたものであり、立方体の角部状に切り欠いた形状を遮光壁１の平面方向に連続して有する。図３（ａ）はコーナーキューブ形状面の平面図を示し、図３（ｂ）はコーナーキューブ形状面の斜視図を示す。コーナーキューブ形状面１ａは、入射した光は上記３つの平面に計３回の反射を繰り返すことにより、前記入射方向へ帰るように、即ち再帰性の反射面となるように構成されている。上記コーナーキューブ形状面の三角形１個（即ち、立方体の角部状に切り欠いた形状１個）における１辺の長さは、特に限定されないが、２〜３ｍｍが好ましい。
【００２１】
遮光壁１は、コーナーキューブ形状１ａが形成された金属板を表面に有する。金属板は、プレス成形により容易且つ低コストで製造することができるため、有利である。また、上記金属板の表面は、反射率向上を目的として鏡面加工されている。
【００２２】
上記金属板は、特に限定されないが、高輝度のＢＡ材が容易に入手できる観点、耐久性に優れる観点、薄板の規格品の入手が容易であり軽量化しやすい観点から、ステンレス製又はアルミニウム製が好ましい。
【００２３】
コーナーキューブ形状面１ａの表面は、フィルムに覆われていてもよいし、空気層を介して又は介しないで樹脂によって保護されていてもよい。
【００２４】
遮光壁１は、上記金属板の背面に、図示しない基材を有する。金属板の背面に基材を有することにより、遮光壁１の強度を高くすることができる。なお、遮光壁１は金属板のみから構成されていてもよく、基材がない構成であってもよい。
【００２５】
上記基材は、公知乃至慣用の太陽光発電パネル用の遮光壁に用いられている材料を用いることができる。上記基材の材料としては、例えば、樹脂製、金属製等が挙げられるが、中でも、耐光性及び反射性の観点から、金属製（特に、ステンレス製）が好ましい。
【００２６】
図１では、遮光壁１が金属板及び該金属板の背面に基材を有する構成を示したが、本発明の遮光壁はこの構成には限定されず、コーナーキューブ形状面が形成された上記基材のみから構成されていてもよいし、コーナーキューブ形状表面が金属塗装（例えば銀塗装）あるいは金属蒸着（例えばアルミニウム蒸着）された上記基材のみから構成されていてもよい。
【００２７】
上記コーナーキューブ形状面１ａの凹部３（即ち、上記立方体の角部状に切り欠いた形状における立方体の角部に該当する部分）には貫通孔が設けられている。これにより、強風が吹いた場合であっても風が貫通孔を通過するため、遮光壁１の強度が向上する。遮光壁１に設けられた貫通孔は、遮光壁１、即ち金属板及び基材の両方を貫通するように形成されている。なお、上記貫通孔は、コーナーキューブ形状面の一部の凹部に形成されていてもよいし、全ての凹部に形成されていてもよい。なお、上記貫通孔の面積は、特に限定されないが、コーナーキューブ形状面１ａによる反射光をできるだけ多くする観点から、適度に小さいことが好ましく、例えば、コーナーキューブ形状面に対する面積率で１０％以下である。
【００２８】
また、図１では、遮光壁１の太陽光発電パネル２側の面がコーナーキューブ形状面１ａとなっている構成を示したが、本発明の遮光壁はこの構成には限定されず、コーナーキューブ形状面以外の公知乃至慣用の再帰性反射面（リトロリフレクター構造が形成された面）であってもよい。上記リトロリフレクター構造としては、例えば、マイクロビーズ構造等が挙げられる。
【００２９】
上記マイクロビーズ構造は、入射した光をガラスビーズ等のマイクロビーズで屈折させ、各マイクロビーズの背面に設けられた反射板にて反射させて再びマイクロビーズに入射して屈折させ、元の入射方向へ帰るように、即ち再帰性の反射面となるように構成されている。従って、上記マイクロビーズ構造を用いた場合であっても、コーナーキューブ形状面を用いた場合と同様に、太陽光発電パネルの表面で反射された太陽光は、本発明の遮光壁に入射し、そして、太陽光発電パネルの表面と平行な面に対して入射光路側に反射される。上記マイクロビーズ構造としては、公知のマイクロビーズ構造を用いることができる。
【００３０】
図４にマイクロビーズ構造の一例の概略図（断面図）を示す。図４に示すマイクロビーズ構造では、樹脂層５の表層部にアルミニウム蒸着層７を有し、このアルミニウム蒸着層７上に球状のガラスビーズ６を配置し、さらにこれらの上にフィルム８を有する。このようなマイクロビーズ構造では、上述したように、入射した太陽光Ｌはガラスビーズ６で屈折し、ガラスビーズ６の背面のアルミニウム蒸着層７で反射されて再びガラスビーズ６に入射して屈折し、元の入射方向へ照射される。
【００３１】
また、遮光壁１は、上記コーナーキューブ形状面等の再帰性反射面を有することに代えて、オフアクシス反射板を用いた遮光壁であってもよい。上記オフアクシス反射板としては、例えば、表面にプリズム形状が形成されたオフアクシス反射板、誘電体多層膜からなるオフアクシス反射板、透明基材中に反射性の板状粒子の反射面が太陽光発電パネルに向かうように配置されたオフアクシス反射板等が挙げられる。
【００３２】
図５に、表面にプリズム形状が形成されたオフアクシス反射板の一例（概略断面図）を示す。上記表面にプリズム形状が形成されたオフアクシス反射板９は、アクリル板等の基板の表面に、多数の三角柱状のプリズムが面方向に規則的に形成されている。上記三角柱状のプリズムは、面方向に対する垂直方向の面（垂直面）９ａと、反射面９ｂとを有する。上記反射面９ｂには、アルミニウムや銀等の反射性を有する金属が塗装あるいは蒸着されている。上記塗装あるいは蒸着された反射面９ｂの表面は、透明保護層等によりコーティングされていることが好ましい。太陽光発電パネル２により反射された太陽光Ｌは、反射面９ｂに再度反射されて太陽光発電パネル２の方向に照射される。従って、上記表面にプリズム形状が形成されたオフアクシス反射板を用いた場合であっても、コーナーキューブ形状面を用いた場合と同様に、太陽光発電パネルの表面で反射された太陽光は、本発明の遮光壁に入射し、そして、太陽光発電パネルの表面と平行な面に対して入射光路側に反射される。なお、プリズムの反射面９ｂの角度は、太陽光発電パネルからの反射光を、太陽光発電パネルの表面と平行な面に対して入射光路側に反射できるような角度となるように形成されていればよく、具体的な角度は、太陽光発電パネルへ反射する光量がより多くなるように太陽光発電パネルの設置角度等に合わせて適宜調節することができる。
【００３３】
図６は、本発明の遮光壁を用いた場合の太陽光の光路を示す概略図の他の一例である。図６では、太陽光発電パネル２は水平面に対して斜めとなるように設置されており、遮光壁１は水平面に対して垂直方向に設置されている。図６における遮光壁１は、表面にプリズム形状が形成された面１ｂを有する。照射された太陽光Ｌは、太陽光発電パネル２の表面で反射されて遮光壁１に入射し、遮光壁１におけるプリズム形状が形成された面１ｂに入射する。プリズム形状が形成された面１ｂ（具体的には、反射面９ｂ）に入射した太陽光Ｌは、入射角度によっては反射される方向が一定の角度をもってばらつくことがある。しかしながら、この場合であってもプリズム形状の反射面９ｂが、太陽光発電パネル２の表面と平行な面Ｆに対して入射光路側、即ち面Ｆよりも下側に反射されるように遮光壁１が設けられているため、遮光壁１により反射された太陽光Ｌは太陽光発電パネル２に再び入射する。これにより、本発明の遮光壁を用いた場合、本発明の遮光壁を用いない場合に対して２倍の光変換効率となり得る。例えば、本発明の遮光壁を用いない場合の光変換効率が２０％程度であるとすると、本発明の遮光壁を用いた場合の光変換効率は４０％程度にもなり得る。
【００３４】
図７に、誘電体多層膜からなるオフアクシス反射板の一例（概略断面図）を示す。上記誘電体多層膜からなるオフアクシス反射板１０は、１／４波長の光学膜厚ごとに、高屈折率層１０ａと低屈折率層１０ｂとを交互に積層して誘電体の多層膜とし、この多層膜を所定の角度で切り出したものである。このような誘電体多層膜からなるオフアクシス反射板１０では、例えば、高屈折率層１０ａを形成する材料としてポリエチレンナフタレートが、低屈折率層１０ｂを形成する材料としてポリエチレンテレフタレートが用いられる。そして、高屈折率層１０ａと低屈折率層１０ｂとの組合せによって、１００ｎｍ、１２５ｎｍ、１５０ｎｍ、１７５ｎｍ、２００ｎｍ、２２５ｎｍ、２５０ｎｍ、２７５ｎｍ、３００ｎｍ、３２５ｎｍの厚みが各５０層、合計１０組が積層され、総層数が５００層とされる。このような構成によって誘電体多層膜からなるオフアクシス反射板１０は、３００ｎｍ〜１４００ｎｍの波長領域で約９０％の反射率が得られるようになる。このような誘電体多層膜からなるオフアクシス反射板を用いた場合であっても、コーナーキューブ形状面を用いた場合と同様に、太陽光発電パネルの表面で反射された太陽光は、本発明の遮光壁に入射し、そして、太陽光発電パネルの表面と平行な面に対して入射光路側に反射される。
【００３５】
図８に、透明基材中に反射性の板状粒子の反射面が太陽光発電パネルに向かうように配置されたオフアクシス反射板の一例（概略断面図）を示す。上記透明基材中に反射性の板状粒子の反射面が太陽光発電パネルに向かうように配置されたオフアクシス反射板１１は、反射性を有する板状粒子１１ａが、透明基材１１ｂ中に、太陽光発電パネルの表面と平行な面に対して入射光路側に反射できるような角度となるように傾斜して配向するように分散されている。なお、上記の傾斜角度は、太陽光発電パネルからの反射光を、太陽光発電パネルの表面と平行な面に対して入射光路側に反射できるような角度となるように形成されていればよく、具体的な角度は、太陽光発電パネルへ反射する光量がより多くなるように太陽光発電パネルの設置角度等に合わせて適宜調節することができる。このような透明基材中に反射性の板状粒子の反射面が太陽光発電パネルに向かうように配置されたオフアクシス反射板を用いた場合であっても、コーナーキューブ形状面を用いた場合と同様に、太陽光発電パネルの表面で反射された太陽光は、本発明の遮光壁に入射し、そして、太陽光発電パネルの表面と平行な面に対して入射光路側に反射される。
【００３６】
透明基材１１ｂとしては、透明な樹脂が用いられ、例えば、セルロース系樹脂、ポリオレフィン系樹脂、ハロゲン含有樹脂、ビニルアルコール系樹脂、アクリル系樹脂、ポリスチレン系樹脂、ポリエステル系樹脂、ポリアミド系樹脂、ポリカーボネート系樹脂、ポリエーテル系樹脂、ポリスルホン系樹脂、その他の熱可塑性エラストマー等の熱可塑性樹脂が挙げられる。
【００３７】
反射性を有する板状粒子１１ａは、例えば、アルミニウム、アルミナ等のそれ自体が光反射性を有する粒子や、板状粒子に光反射性を付与した粒子等が用いられる。また、反射性を有する板状粒子１１ａは、着色されていてもよく、例えば、グラファイト（天然又は合成黒鉛）等であってもよい。板状粒子に光反射性を付与した粒子としては、例えば、板状粒子が光反射性を付与するための成分（特に金属や金属酸化物）で被覆されたものが挙げられる。
【００３８】
上記板状粒子としては、例えば、ガラス等の非晶性無機物質；アルミナ、水酸化アルミニウム、雲母類（白雲母、金雲母、合成雲母等のマイカ類）、タルク、モンモリロナイト類、クレイ類（カオリンクレイ、ろう石クレイ等）等の板状無機結晶；架橋アクリル系樹脂、架橋ポリスチレン系樹脂、架橋ポリスルホン系樹脂等の樹脂片等が挙げられる。上記板状粒子は一種のみを用いてもよいし二種以上を用いてもよい。なお、板状粒子の形状は、特に制限されず、無定形板状、多角板状（三角板状、四角板状、六角板状等）、楕円板状、円板状等であってもよい。
【００３９】
上記金属及び金属酸化物としては、例えば、チタン、ジルコニウム、アルミニウム等の金属；酸化チタン、酸化ジルコニウム、酸化アルミニウム等の金属酸化物が挙げられる。
【００４０】
本発明の遮光壁における、上記太陽光発電パネルの表面と平行な面に対して入射光路側に反射する反射面としては、中でも、再帰性反射面が好ましく、特にコーナーキューブ形状面が好ましい。コーナーキューブ形状面は、上述のように、金属板をプレス成形することによって容易且つ低コストで形成することが可能であるためである。また、オフアクシス反射板を用いる場合よりもより高効率で太陽光発電パネル側に反射することができる傾向がある。さらに、例えばコーナーキューブ形状面を有する反射板を太陽光発電パネルの背面（実用上は太陽光発電装置の背面）に設置する場合、該反射板による反射光による発電量の確保及び周囲への光害の防止の観点から、反射板のサイズを太陽光発電パネルと同程度とする必要があり、この場合のコーナーキューブ形状面の表面積として換算すると太陽光発電パネルの倍程度の面積となりコストが非常に高くなる傾向にある。これに対し、本発明の遮光壁については、コーナーキューブ形状面としても太陽光発電パネルと同程度のサイズとする必要はなく、コストを低く抑えることができる。また、マイクロビーズ構造を用いた際は、通常表面に設けられるフィルムによって反射効率が低下したり、遮光壁を立てて設置した場合はマイクロビーズが剥がれ落ちたりするおそれがあるのに対し、コーナーキューブ形状面の場合はこのような懸念がない。
【００４１】
遮光壁１のサイズは特に限定されず、太陽光の反射方向等によって適宜調節することができる。例えば、高さを高くすることにより、反射できる光の量が増えるため、発電量が増大し且つ光害をより低減することができる。
【００４２】
図１では、遮光壁１は、太陽光発電パネル２に近接乃至接触して設置されているが、このような態様に限定されず、太陽光発電パネル２から隔離して設置されていてもよい。この場合、遮光壁１の設置場所は、太陽光発電パネル２により反射される太陽光の反射光が当たる場所とする。
【００４３】
図１では、遮光壁１は、太陽光発電パネル２の隣接する二辺に設置されているが、このような態様に限定されず、一辺以上に設置されていればよく、太陽光発電装置の設置環境（例えば、設置場所、周囲の環境、太陽光の当たりやすさ等）によって適切に設置することができる。例えば、日本においては、遮光壁１の設置箇所は、矩形状の太陽光発電パネル２の北側及び西側の二辺、または、北側及び東側の二辺が好ましい。
【００４４】
また、遮光壁１の太陽光発電パネル２に対する設置角度は、特に限定されず、太陽光発電装置の設置環境によって適宜調節可能である。さらに、太陽光発電装置の設置環境によって、太陽光発電パネル２の水平面に対する設置角度も適宜調節可能である。
【００４５】
本発明の遮光壁は、可動式であってもよい。例えば、時間帯によって太陽光の入射方向が変わるため、該入射方向に合わせて発電量が最大となるように本発明の遮光壁の角度や方向を動かす機構を備えていてもよい。
【００４６】
太陽光発電パネルに本発明の遮光壁を設置することにより、太陽光発電装置とすることができる。太陽光発電パネルと本発明の遮光壁とを有する太陽光発電装置を、「本発明の太陽光発電装置」と称する場合がある。
【００４７】
本発明の遮光壁及び本発明の太陽光発電装置は、太陽光発電パネルへの入射光を利用して太陽光発電装置による発電量を増加することができるため、通常の反射板を用いた場合に対して、太陽光の照射量が少ない時間帯である朝方や夕方、冬等の太陽光の照射量が少ない時期、山等の遮蔽物が周囲にある地域等、太陽光の照射量が少ない場合や太陽光の照射角度が小さい場合において特に有用である。
【００４８】
本発明の遮光壁によれば、太陽光発電パネルにより反射された光を再度太陽光発電パネルに反射して再利用することにより太陽光発電装置の発電量を増加させると同時に、太陽光発電パネルにより反射された光を周囲に散乱させず光害を発生しにくくすることができる。さらに、本発明の遮光壁は、これから設置する太陽光発電パネルのみならず、後付け、即ち既置の太陽光発電パネルにも設置することが可能であるため、既設の太陽光発電パネルにおいてもこのような効果を得ることができる。
【符号の説明】
【００４９】
１      遮光壁
１ａ    コーナーキューブ形状面
１ｂ    プリズム形状が形成された面
２      太陽光発電パネル
Ｌ      太陽光
Ｆ      太陽光発電パネル２の表面と平行な面
３      凹部
４      凸部
５      樹脂層
６      ガラスビーズ
７      アルミニウム蒸着層
８      フィルム
９      表面にプリズム形状が形成されたオフアクシス反射板
９ａ    垂直面
９ｂ    反射面
１０    誘電体多層膜からなるオフアクシス反射板
１０ａ  高屈折率層
１０ｂ  低屈折率層
１１    透明基材中に反射性の板状粒子の反射面が太陽光発電パネルに向かうように配置されたオフアクシス反射板
１１ａ  反射性を有する板状粒子
１１ｂ  透明基材
【図１】
2017188984.tif 000003
【図２】
2017188984.tif 000004
【図３】
2017188984.tif 000005
【図４】
2017188984.tif 000006
【図５】
2017188984.tif 000007
【図６】
2017188984.tif 000008
【図７】
2017188984.tif 000009
【図８】
2017188984.tif 000010